(57)【特許請求の範囲】
【請求項１】
水液を流入させて浄化処理を行う平面視略矩形を呈する水液処理槽に対しその開口縁部側に固定することで上面開口部への覆設を自在に形成される覆蓋は、前記開口縁部の長辺側に位置して対向する一側縁部と他側縁部との間の上面領域を覆う上面覆設部と、該上面覆設部が位置していない側面領域を覆う側面覆設部とで構成され、
前記上面覆設部は、前端側と奥端側とを含む前記一側縁部と前記他側縁部との相互間に架設される複数本の支持部材と、該支持部材の直交方向に固定される複数本の止着部材と、該止着部材に部分的に位置固定されて前記支持部材に展着される上面覆い用のフッ素系フィルムからなる上面カバー部材とで形成し、
前記側面覆設部は、前端側に位置する前記支持部材と前記開口縁部の短辺側に位置する前側縁部との間と、奥端側に位置する前記支持部材と前記開口縁部の短辺側に位置する後側縁部との間とのそれぞれに各別に架設される少なくとも１本以上の支柱部材と、該支柱部材に沿わせて展着される側面覆い用のフッ素系フィルムからなる側面カバー部材とで形成し、
前記止着部材は、前記上面カバー部材における止着部位が導入される受け溝を備える保持部と、該保持部内にて前記止着部位の抜脱を阻止する圧接片と、前記保持部に嵌着される蓋材とで形成され、
前記上面覆設部には、その下縁側から直近の前記止着部材へと至る間での前記上面カバー部材の巻き上げと巻き下げとを可能とした開閉操作機構を付設したことを特徴とする水液処理槽の覆蓋。
【請求項２】
前記カバー部材は、前記支持部材にあって水液処理槽内の前記水液との直面側である内側に展着させた請求項１に記載の水液処理槽の覆蓋。
【請求項３】
前記カバー部材は、前記支持部材にあって水液処理槽内の前記水液との直面側である内側と、外気との直面側である外側とに各別に展着させた請求項１または２に記載の水液処理槽の覆蓋。
【発明の詳細な説明】
【０００１】
【発明の属する技術分野】
本発明は、上下水処理施設などが備える水液処理槽の上面開口部への覆設を自在に形成された水液処理槽の覆蓋に関する技術である。
【０００２】
【従来の技術】
通常、上下水処理施設においては、流入させた要処理水を順次浄化処理していくための水液処理槽が屋外に野ざらし状態となって設置されているので、浄化処理中の水液への雨水や塵埃の混入や外部への悪臭等の拡散を防止する必要のほか、各種の安全対策上の必要もあってその上面開口部が覆蓋で施蓋されている。
【０００３】
図９は、上水道処理施設が備える水液処理槽の施蓋構造の従来例を示す説明図であり、主要部分が土中に設置されている水液処理槽１の上面開口部２は、適宜構造を備えた覆蓋３により施蓋されている。なお、図中の符号４は、点検時などに開口部を形成することができるカバー材を示す。
【０００４】
この場合、水液処理槽１内には、塩素、オゾン、硫化水素などの気体を含む腐食性雰囲気が醸成されるため、その上面開口部２を覆う覆蓋３も耐食性に富む例えばＦＲＰなどのような強化プラスチック材を用いて形成されたものが用いられている。
【０００５】
【発明が解決しようとする課題】
しかし、ＦＲＰなどの強化プラスチック材からなる覆蓋３は、素材コストが高いばかりでなく、その全体重量も比較的重いために作業性が悪いほか、紫外線等の影響がもたらす経年変化により強度が劣化するなどの不都合があった。
【０００６】
また、ＦＲＰなどの強化プラスチック材は、熱硬化性樹脂であることから再利用できずに産業廃棄物として処理せざるを得ず、時代の要請である省資源対策や環境保護対策との関係で問題になる不具合もあった。
【０００７】
本発明は、従来技術にみられた上記課題に鑑み、雨水や塵埃の混入や外部への悪臭等の拡散防止のほか、安全対策上の必要から水液処理槽を施蓋するに際し、軽量・安価で耐久性に富み、かつ、再利用もできる水液処理槽の覆蓋を提供することを目的とする。
【０００８】
【課題を解決するための手段】
本発明は、上記目的を達成すべくなされたものであり、水液を流入させて浄化処理を行う平面視略矩形を呈する水液処理槽に対しその開口縁部側に固定することで上面開口部への覆設を自在に形成される覆蓋は、前記開口縁部の長辺側に位置して対向する一側縁部と他側縁部との間の上面領域を覆う上面覆設部と、該上面覆設部が位置していない側面領域を覆う側面覆設部とで構成され、前記上面覆設部は、前端側と奥端側とを含む前記一側縁部と前記他側縁部との相互間に架設される複数本の支持部材と、該支持部材の直交方向に固定される複数本の止着部材と、該止着部材に部分的に位置固定されて前記支持部材に展着される上面覆い用のフッ素系フィルムからなる上面カバー部材とで形成し、前記側面覆設部は、前端側に位置する前記支持部材と前記開口縁部の短辺側に位置する前側縁部との間と、奥端側に位置する前記支持部材と前記開口縁部の短辺側に位置する後側縁部との間とのそれぞれに各別に架設される少なくとも１本以上の支柱部材と、該支柱部材に沿わせて展着される側面覆い用のフッ素系フィルムからなる側面カバー部材とで形成し、前記止着部材は、前記上面カバー部材における止着部位が導入される受け溝を備える保持部と、該保持部内にて前記止着部位の抜脱を阻止する圧接片と、前記保持部に嵌着される蓋材とで形成され、前記上面覆設部には、その下縁側から直近の前記止着部材へと至る間での前記上面カバー部材の巻き上げと巻き下げとを可能とした開閉操作機構を付設したことに構成上の特徴がある。
【０００９】
この場合、前記開閉操作機構は、前記上面カバー部材を略５０ｍ程度の長さ方向範囲内で同時の巻き上げと巻き下げとを可能とすることで、覆蓋自体を解体することなく水液処理槽の維持管理を行うことができる。
【００１０】
【００１１】
【００１２】
【００１３】
【００１４】
【００１５】
【発明の実施の形態】
図１は、平面形状が略矩形を呈する水液処理槽に適用して実施される本発明の一例を示す要部斜視図であり、水液を流入させて浄化処理を行う水液処理槽１１は、その全体が略直方体形状を呈して主要部分を土中に設置することにより形成されている。
【００１６】
このような設置状態にある水液処理槽１１に対しその開口縁部１２側に固定することで上面開口部１７への覆設を自在に形成される覆蓋２１は、略矩形を呈する開口縁部１２にあって相互に長辺側として対向（図示例では左右位置にて対向）する一側縁部１３と他側縁部１４との間の上面領域１６を覆う上面覆設部２２と、該上面覆設部２２が位置していない側面領域１８（図示例では前後に位置する短辺側）を覆う側面覆設部５２とで構成されている。
【００１７】
このうち、上面覆設部２２は、開口縁部１２における一側縁部１３と他側縁部１４との間に各別に架設される複数本の支持部材２３と、これらの各支持部材２３に対して固定される複数本の止着部材２８と、該止着部材２８を介して位置固定されながら各支持部材２３に沿わせて展着されるフッ素樹脂フィルムを含むフッ素系フィルムからなる上面覆い用の上面カバー部材３５とで上面領域１６の掩蔽を自在に形成されている。
【００１８】
この場合、支持部材２３は、適宜の断面形状を呈する金属パイプ材によりアーチ状に形成されており、これらを開口縁部１２における長辺側の一側縁部１３と他側縁部１４との前端側と奥端側とを含む位置に適宜間隔おいて平行に配列させた上でそれぞれの一端部２４と他端部２５とが水液処理槽１１の開口縁部１２側に固定されている。なお、支持部材２３は、上記アーチ状以外にも、その覆い面（屋根面）の具体的な形状に応じて適宜の屈曲形状を付与して形成することができる。さらに、一側縁部１３と他側縁部１４との離間距離が略６ｍを越える大スパンである場合には、支持部材２３として金属パイプ材を組み合わせたトラス構造のものを採用するのが望ましい。
【００１９】
水液処理槽１１の開口縁部１２に対する支持部材２３の固定は、例えば図４に示されているように開口縁部１２にあらかじめアングル材１９を配設しておき、該アングル材１９に対し例えば支持部材２３の一端部２４に付設した突片部２４ａをボルトとナットとで固定するなど、適宜の固定部材２６を介して連結することにより行うことができる。
【００２０】
また、止着部材２８は、支持部材２３にカバー部材３５を展着する際に用いられるものであり、図３に例示するように受け溝３０を有する金属製の保持部２９と、受け溝３０内に上面カバー部材３５の止着部位３６を導入した後の抜脱を阻止する圧接片３１とで形成されている。なお、図３に示されているように、蓋材３２は、上面カバー部材３５が外気と直面する支持部材２３の表側に展着されるときは受け溝３０内への雨水の浸入を防止するために保持部２９に嵌着され、上面カバー部材３５が水液処理槽１１内の水液と直面する支持部材２３の内側に展着されるときには受け溝３０の防食のために保持部２９に嵌着される。
【００２１】
さらに、上面カバー部材３５は、その強度等を考慮するならば、適宜の組成からなる６０〜２００μｍの厚さのフッ素樹脂フィルム、またはフッ素系フィルムを含む複合フィルム材料を好適に用いることができる。
【００２２】
しかも、このような構成からなる上面覆設部２２は、上面カバー部材３５の下縁３７側から直近の止着部材２８へと至る間での上面カバー部材３５の巻き上げとその巻き下げとを可能とした開閉操作機構３９を具備させて形成されている。
【００２３】
これを図１の例に即して具体的に説明すれば、開閉操作機構３９は、止着部材２８の長さ方向と平行な配置関係のもとでその全長に沿って配設される巻取り杆４０と、該巻取り杆４０に回転力を付与するハンドル４１と、巻取り杆４０が回転しながら上下移動する際にこれを円滑に案内する図示しないガイド杆とを少なくとも備えて形成されている。なお、巻取り杆４０には、上面カバー部材３５の下縁３７側が略５０ｍの長さ方向に沿わせて取り付けられている。
【００２４】
一方、側面覆設部５２は、側面領域１８を区画している開口縁部１２の前側縁部１５とその上方に位置する支持部材２３との間に架設される少なくとも１本以上の支柱部材５３と、該支柱部材５３に沿わせて展着されるフッ素樹脂フィルムを含むフッ素系フィルムからなる側面を覆うための側面カバー部材５４とで側面領域１８の掩蔽を自在に形成されている。
【００２５】
図１の例によれば、側面カバー部材５４は、水液処理槽１１内の水液との直面側である内側に配設されているが、支柱部材５３をフッ素系フィルムからなる保護シート材で覆った上で、外気と直面する外側に配設することもできる。また、側面カバー部材５４は、保護シート材が覆設されていない支柱部材５３に対し、その内側と外側との両面に配設しておくこともできる。なお、側面覆設部５２は、図示は省略してあるが開口縁部１２の後側縁部が位置する側面領域にも同様にして配設されている。
【００２６】
図２は、本発明の参考例を示すものであり、基本的には図１に示す例と同じ構造を備えているので、その相違点のみを説明すれば、上面を覆うカバー部材３５は、その裾部側を部分的に巻き上げることができるようになっている。
【００２７】
すなわち、カバー部材３５は、各支持部材２３により各別に仕切られているカバー部材３５の区画展着面３８の１面を残して次に続く２面を巻き上げることができる配置関係で展着されている点で図１の例とは相違している。
【００２８】
このため、開閉操作機構３９を構成している巻取り杆４０には、巻き上げることができる区画展着面３８が位置している部位の下縁３７側が取り付けられることになり、これによりカバー部材３５も１の区画展着面３８を残置させながらこれと隣り合う２つの区画展着面３８の巻き上げとその巻き下げとができることになる。
【００２９】
図３は、本発明の他例につきその要部を拡大して示す部分断面図であり、この場合、止着部材２８は、支持部材２３にあって水液処理槽１１内の水液との直面側である内側と外気との直面側である外側とに各別となって固定されており、これら上下に位置する各止着部材２８を介して上面カバー部材３５が２層構造となって展着されている。
【００３０】
図４は、本発明のさらなる参考例の要部構造を示す説明図であり、図５は、図４における一点鎖線による囲繞部位を拡大して示す説明図である。
【００３１】
これらの図によれば、上面カバー部材３５の下縁３７との直近位置にある止着部材２８は、支持部材２３に対しその内側と外側とに各別に保持部２９が交差配置されている。
【００３２】
この場合、上面カバー部材３５は、その下縁３７側が巻取り杆４０に取り付けられて支持部材２３の外側に配置され、外側に位置する止着部材２８の側にその止着部位３６を止着させた後、下側に位置する止着部材２８の側にその止着部位３６をさらに止着させて展着されることになる。
【００３３】
つまり、上面カバー部材３５は、巻き上げ可能な部位が外気と直面する外側に、その他の部位が水液処理槽１１内の水液と直面する内側にそれぞれ配置された状態となって展着されることになる。なお、この場合、支持部材２３の内側に配置された上面カバー部材３５との対向位置にある支持部材２３の外側、つまり、図４にあって左右対称となって外側に配置されることになる右側の止着部材２８と図示しない左側の止着部材との間にも上面カバー部材３５を展着することにより、この部位における上面カバー部材３５を二層構造として配設することもできる。さらに、上面カバー部材３５が巻き上げられた際に表出することになる支持部材２３の所定部位には、あらかじめフッ素系フィルムからなる保護シート材３３が巻き付けられてヒートシールされている。
【００３４】
図６は、本発明の参考例を平面形状が略円形を呈する水液処理槽に適用して実施した際の概略斜視図を示すものであり、水液を流入させて浄化処理を行う水液処理槽１１は、その全体が略円柱形状を呈して主要部分を土中に設置することにより形成されている。
【００３５】
この場合、覆蓋２１としての上面覆設部２２は、水液処理槽１１に対しその開口縁部１２側に固定することで平面形状が略円形を呈する上面開口部１７への覆設を自在に形成されている。
【００３６】
このうち、開口縁部１２を介して架設される複数本の支持部材２３は、Ｈ型金属材や金属パイプ材を組み合わせたトラス構造からなるものを好適に用いることができる。
【００３７】
この場合、各支持部材２３は、それぞれの一端部２４を開口縁部１２の側に図６に示すようにして固定させた上で、そのすべての他端部２５の側からドーム状に膨出することになる上面領域１６の中心位置にその曲面に沿わせながら到達する配置関係のもとで配設されている。また、このようにして配設された長寸側の支持部材２３，２３相互間に短寸の支持部材２３を適宜間隔で架設しておくこともできる。
【００３８】
そして、上面領域１６の中心位置に集まった長寸側の各支持部材２３の他端部２５は、適宜構造の収束部材４７を介して相互に連結固定されている。なお、この場合における止着部材２８の配設位置は、長寸側の各支持部材２３に添設したり、短寸の支持部材２３に添設したり、短寸の支持部材２３に代えて長寸側の支持部材２３，２３相互間に架設するなど、必要に応じて適宜位置に配設することができる。
【００３９】
さらに、フッ素系フィルムからなる上面カバー部材３５は、止着部材２８を介して位置固定されながら上面開口部１７の掩蔽を自在に展着されている。
【００４０】
一方、図７は、本発明と水液処理槽との関係を例示する要部斜視図であり、水液を流入させて浄化処理を行う水液処理槽１１は、図１に示すと同様に、その全体が略直方体形状を呈して主要部分を土中に設置することにより形成されている。
【００４１】
このような設置状態にある水液処理槽１１に対しその開口縁部１２側に固定して上面開口部１６を覆う覆蓋ユニット６１は、開口縁部１２にあって相互に対向する一側縁部１３と他側縁部１４との間の上面領域１６を所定区画毎に連続して覆う複数の部分覆設部６２と、これらの部分覆設部６２が位置しない妻面となる側面領域１８を覆う一対の側面覆設部８２とで構成されている。
【００４２】
このうち、部分覆設部６２のそれぞれは、開口縁部１２における一側縁部１３と他側縁部１４との間に各別に架設される複数本（図示例では各４本）の支持部材６３と、これらの各支持部材６３に対しその交差方向へと固定される複数本（図示例では３本）の止着部材６８と、該止着部材６８を介して位置固定されながら各支持部材６３の長さ方向へと展着されるフッ素系フィルムからなる上面カバー部材７５とで掩蔽自在となってその全体が形成されている。なお、隣り合う部分覆設部６２，６２相互の境界部７８は、硬質ゴム板などからなる図示しない介在片を介在させことによりシールされている。
【００４３】
この場合、各支持部材６３は、適宜の断面形状を呈する金属パイプ材によりアーチ状に形成されており、これらを適宜間隔おいて平行に配列させた上でそれぞれの一端部２４と他端部２５とが水液処理槽１１の開口縁部１２側に固定されている。なお、支持部材２３は、上記アーチ状以外にも、その覆い面（屋根面）の具体的な形状に応じて適宜の屈曲形状を付与して形成することができる。
【００４４】
また、止着部材６８は、支持部材６３に上面カバー部材７５を展着する際に用いられるものであり、その詳細構造は図３の止着部材２８におけると同様に保持部と圧接片等との組合せのもとで形成されている。
【００４５】
さらに、上面カバー部材７５は、その強度等を考慮するならば、適宜の組成からなる６０〜２００μｍの厚さのフッ素樹脂フィルム、またはフッ素系フィルムを含む複合フィルム材料を好適に用いることができる。なお、上面カバー部材７５の展着は、止着部材６８に対し図３に示す例と同様にして行われることになる。
【００４６】
水液処理槽１１の開口縁部１２に対する各部分覆設部６２の固定は、例えば開口縁部１にあらかじめ図４に示す構造を備えるアングル材１９を配設しておき、該アングル材１９に対し支持部材６３の一端部６４と他端部６５との側をに付設した図示しない突片部をボルトとナットとで固定するなど、適宜の固定部材６６を介して連結することにより行うことができる。
【００４７】
一方、側面覆設部８２は、妻面１８が位置する領域を区画している開口縁部１２の前側縁部１５と左側に位置する部分覆設部６２の支持部材６３との間に架設される少なくとも１本以上の支柱部材８３と、該支柱部材８３に沿わせて展着されるフッ素系フィルムからなる側面カバー部材８４とで妻面１８の掩蔽を自在に形成されている。なお、図中の符号８５は排気等に用いられるノズルを、８６はノズル８５を取り付けるための取付け壁をそれぞれ示す。
【００４８】
本発明との関係を参考例として示す図７に示す要部斜視図によれば、側面カバー部材８４は、水液処理槽１１内の水液との直面側である内側に配設されているが、支柱部材８３をフッ素系フィルムからなる保護シート材で覆った上で、外気と直面する外側に配設することもできる。また、側面カバー部材５４は、保護シート材が覆設されていない支柱部材８３に対し、その内側と外側との両面に配設しておくこともできる。なお、側面覆設部８２は、図示は省略してあるが開口縁部１２の後側縁部が位置する右側に位置する部分覆設部６２の側の妻面が位置する領域にも同様にして配設されている。
【００４９】
この参考例においても上面カバー部材７５は、支持部材６３にあって水液処理槽１１内の水液との直面側である内側に展着することができるほか、支持部材６３の内側と外気との直面側である外側とに各別に展着するものであってもよい。
【００５０】
また、配列設置される複数の部分覆設部６２には、内部点検用の開口部７７の形成が自在な上面カバー部材７５を具備させたものを混在させておくのが望ましい。
【００５１】
そして、図７に示す参考例は、図１に示す覆蓋２１が一体構造となっているのに対し、複数の部分覆設部６２からなる覆蓋ユニット６１により構成されている点で相違する。これらの各部分覆設部６２は、個別に取り外すことができるので、水液処理槽１１の維持管理を行う際には、必要箇所に位置する部分覆設部６２のみを個別に取り外すことで即応することができる。
【００５２】
したがって、図７に示す参考例によれば、図８からも明らかなように、図１に示す開閉操作機構３９のように長さ方向での巻き上げを行って開口部４５を形成する必要がなくなり、それだけ内部点検用の開口部７７をより簡単で小型な開閉操作機構８７で形成することができる。
【００５３】
したがって、開閉操作機構８７は、所望する部分覆設部６２が適宜位置に備える左右２本の支持部材６３と、これらの支持部材６３と交差する上下２本の止着部材６８とで画成される区画領域６９を介して開口部７６を形成できるようにして配設されることになる。
【００５４】
すなわち、この場合の開閉操作機構８７は、区画領域６９にあって上側に位置している止着部材６８に例えば部材を下支え可能な一対のフック具を配設するなどして形成される載置具８７と、下側に位置する止着部材６８の長さ方向に略沿うようにして配置される巻取り杆８７と、該巻取り杆８７を所定位置にて保持するためのゴムバンドなどからなる保持具９０とで構成されている。
【００５５】
このため、区画領域６９に位置する上面カバー部材７５の開披面７６は、図８（ａ）に示すように上方への引上げを自在に配設されることになり、その下縁７６ａ側を巻取り杆８７に取り付けた上で、該巻取り杆８７を介して図８（ｂ）に示すように開披面７６を巻き上げた後、載置具８に載置することにより内部点検用の開口部７７を形成することができる。
【００５６】
次に、図１の例に基づいて本発明の作用・効果を説明すれば、覆蓋２１は、次の作業を経て設置することができる。
【００５７】
すなわち、上面覆設部１２を構成している支持部材２３は、水液処理槽１１の開口縁部１２の一側縁部１３から他側縁部１４へと各別に架け渡し、その一端部２４と他端部２５とを固定部材２６を介してアングル材１９に連結することにより設置される。
【００５８】
上面カバー部材３５の止着部位３６を止着する止着部材２８は、設置後の各支持部材２３に対してその直交方向に配置して固定される。
【００５９】
上面カバー部材３５は、支持部材２３と止着部材２８との設置を終えた後に、それぞれの止着部位３６を止着部材２８に止着させながら外気と直面する各支持部材２３の外側にその長さ方向に沿わせて展着される。これにより水液処理槽１１の上面領域１６が掩蔽されることになる。
【００６０】
また、上面覆設部１２が設置された後における水液処理槽１１の側面領域１８は、支柱部材５３の内側に配置して展着された側面カバー部材５４により掩蔽される。
【００６１】
しかも、上面カバー部材３５の下縁３７側は、開閉操作機構３９を構成する巻取り杆４０に取り付けられているので、水液処理槽１１の内部点検や保守の必要があるときにハンドル４１を操作することで、上面カバー部材３５の下縁３７側が回転しながら上昇する巻取り杆４０に巻き取られて開口部４５を形成することができる。
【００６２】
望ましい大きさの開口部４５を確保した後は、巻取り杆４０をゴムバンドなどの適宜の固定部材で位置固定させることにより、水液処理槽１１の内部点検作業や保守作業を円滑に行うことができる。なお、作業を終えた後、単に巻取り杆４０を巻き戻すことにより元の開口部４５のない状態に戻すことができる。
【００６３】
また、図２に示す参考例のように上面カバー部材３５の裾部側を部分的に巻き上げることができるようになっている場合には、所定位置の区画展着面３８を残置させながら部分的に開口部４５を形成することができる。
【００６４】
さらに、これらの例において上面カバー部材３５が支持部材２３にあって水液処理槽１１内の水液との直面側である内側に展着されている場合には、それに対応させた配置関係のもとで開閉操作機構３９も配設されることになる。
【００６５】
さらにまた、上面カバー部材３５が図３に示すように支持部材２３の外側と内側との両面に展着されている場合には、開閉操作機構３９による巻き上げ部位のみを外側に展着することで、開口部４５を形成できるようにしておくこともできる。
【００６６】
一方、本発明と関係する参考例につき図６に基づいてその作用・効果を説明すれば、覆蓋ユニット６１は、次の作業を経て設置することができる。
【００６７】
すなわち、覆蓋ユニット６１を構成している各部分覆設部６２は、本発明における覆蓋２１と同様な手順を踏むことにより各別に組み立てることができる。
【００６８】
また、組み立てた後の各部分覆設部６２は、単に連続的に配列させることで容易に上面領域１６の全体を覆うことができる。
【００６９】
しかも、連続的に配列させた部分覆設部６２のそれぞれは、水液処理槽１１の開口縁部１２側に配設されているアングル材１９に対し支持部材６３の側をボルトとナットとで固定するなど、適宜の固定部材６６を介して連結することにより固定させることができるほか、相互の境界部７８には硬質ゴム板などからなる図示しない介在片が介在配置されているので、シール性も容易に確保することができる。
【００７０】
さらに、連続的に配列させた複数の部分覆設部６２に内部点検用の開口部７７の形成が自在な上面カバー部材７５を具備させたものも混在させてある場合には、水液処理槽１１の内部点検作業や保守作業を円滑に行うことができる。
【００７１】
以上は、本発明の実施形態を図示例に即して説明したものであり、その具体的な実施の形態例はこれに限定されるものではない。本発明から逸脱することなく上記実施形態に対し様々な変形を施すことが可能である。例えば、覆蓋２１自体の全体形状もアーチ型ではなく家型などの適宜形状とすることができる。また、上面カバー部材が支持部材の内側と外側とのいずれか一方にのみ展着される場合には、各支持部材に対しあらかじめフッ素樹脂フィルム製の保護シート材を巻き付けてヒートシールした上で用いることもできる。
【００７２】
【発明の効果】
以上述べたように本発明によれば、覆蓋の側は、再生利用に馴染まない強化プラスチック材（熱硬化性樹脂材）を一切用いることなく、再生が容易なフッ素樹脂フィルムと金属材とで形成することができるので、水や塵埃の混入や外部への悪臭等の拡散防止のほか、安全対策上も有効で、かつ、軽量・安価なものとして提供することができる。
【００７３】
しかも、フッ素樹脂フィルムは、塩素、オゾン、硫化水素などの気体を含む腐食性雰囲気に対し優れた耐久性を発揮させることができるので、覆蓋側も経年変化による劣化をなくして長期にわたり安定的に使用することができる。
【００７４】
また、水液処理槽内の水液が強度の腐食性である場合には、上面カバー部材を支持部材の内面、すなわち水液との直面側に展着し、また、外部環境も腐食性である場合には、支持部材の内外両面に展着することによって支持部材を保護することができる。
【００７５】
特に、本発明によれば、覆蓋を設置すべき水液処理装置の具体的な形態に対応させて現場にて柔軟に設置作業を遂行することができる。また、支持部材や支柱部材を塩素、オゾン、硫化水素などの気体を含む腐食性雰囲気に晒すことなく配設することができる。さらに、上面覆設部が開閉操作機構を備えている場合には、簡単な操作で点検や保守のための作業になる開口部を形成することができる。
【００７６】
【図面の簡単な説明】
【図１】  本発明の一例を示す要部斜視図。
【図２】  本発明の参考例を示す要部斜視図。
【図３】  本発明の他例につきその要部を拡大して示す部分断面図。
【図４】  本発明のさらなる他の参考例の要部構造を示す説明図。
【図５】  図４における一点鎖線による囲繞部位を拡大して示す説明図。
【図６】  本発明の参考例を平面形状が略円形を呈する水液処理槽に適用して実施した際の概略斜視図。
【図７】  本発明との関係を参考例として示す要部斜視図。
【図８】  上記参考例において内部点検用の開口部を形成する際のプロセスを（ａ），（ｂ）として場合分けして例示する説明図。
【図９】  上水道処理施設が備える水液処理槽の施蓋構造の従来例を示す説明図。
【符号の説明】
１１  水液処理槽
１２  開口縁部
１３  一側縁部
１４  他側縁部
１５  前側縁部
１６  上面領域
１７  上面開口部
１８  妻面
１９  アングル材
２１  覆蓋
２２  上面覆設部
２３  支持部材
２４  一端部
２４ａ  突片部
２５  他端部
２６  固定部材
２８  止着部材
２９  保持部
３０  受け溝
３１  圧接片
３２  蓋材
３３  保護シート材
３５  上面カバー部材
３６  止着部位
３７  下縁
３８  区画展着面
３９  開閉操作機構
４０  巻取り杆
４１  ハンドル
４５  開口部
４７  収束部材
５２  側面覆設部
５３  支柱部材
５４  側面カバー部材
６１  覆蓋ユニット
６２  部分覆設部
６３  支持部材
６４  一端部
６５  他端部
６６  固定部材
６８  止着部材
６９  区画領域
７５  上面カバー部材
７６  開披面
７６ａ  下縁
７７  開口部
７８  境界部
８２  側面覆設部
８３  支柱部材
８４  側面カバー部材
８５  ノズル
８６  取付け壁
８７  開閉操作機構
８８  巻取り杆
８９  載置具
９０  保持具
【図１】
0004507053.tif 000002
【図２】
0004507053.tif 000003
【図３】
0004507053.tif 000004
【図４】
0004507053.tif 000005
【図５】
0004507053.tif 000006
【図６】
0004507053.tif 000007
【図７】
0004507053.tif 000008
【図８】
0004507053.tif 000009
【図９】
0004507053.tif 000010